(57)【特許請求の範囲】
【請求項１】
前面開口形の収納開口部を備えたキャビネットと、キャスターを備え前記キャビネットの収納開口部に引き出し入れ自在に収納するワゴンとから成るワゴン付収納家具に用いるワゴン収納用ガイド装置であって、前記収納開口部の左右両側の開口縁に、若しくは収納開口部の左右両側の開口縁付近の左右内側面に、この収納開口部より前記キャビネットの前方に向けて突設される誘い込みガイドを備え、この突設された左右の誘い込みガイドは、対向内側面にガイド面を設けると共に、この左右のガイド面は、その突出先端側が前記収納開口部の左右両側の開口縁の外側に位置するように構成して、収納開口部内へと押入れ移動させた前記ワゴンの左右の後端部のいずれかが左右のガイド面のいずれかに接触すると、このガイド面に沿ってワゴンが収納開口部内へと誘い込み案内されるように構成し、このワゴンを前記収納開口部内に収納することに連動して、前記左右の誘い込みガイドを収納開口部内に退避させるガイド退避機構を備え、このガイド退避機構は、ワゴンが収納開口部内へと押入れられると、前記左右の誘い込みガイドが収納開口部内の後方へスライド退避するように構成したことを特徴とするワゴン収納用ガイド装置。
【請求項２】
前記ガイド退避機構は、前記ワゴンの左右の後端部を支承する支承部を前記誘い込みガイドに設け、この支承部を、前記収納開口部内へと押入れられるワゴンの左右の後端部で押動すると、前記左右の誘い込みガイドが収納開口部内の後方へスライド退避するように構成したことを特徴とする請求項１記載のワゴン収納用ガイド装置。
【請求項３】
前記誘い込みガイドは、前記キャビネットの収納開口部の左右両側の開口縁に、若しくは収納開口部の左右両側の開口縁付近の左右内側面に水平旋回可能に突設される構成とし、この各誘い込みガイドを収納開口部の左右両側の開口縁の外側に水平旋回させることで前記ガイド面の突出先端側を前記収納開口部の左右両側の開口縁の外側に位置させ得るように構成し、この誘い込みガイドを、そのガイド面の突出先端側が前記収納開口部の左右両側の開口縁の外側に位置するように付勢保持するガイド付勢手段を備え、前記ガイド退避機構は、ワゴンの左右の後端部を支承する支承部を前記誘い込みガイドに設け、この支承部を、収納開口部内へと押入れられるワゴンの左右の後端部で押動すると、前記ガイド付勢手段の付勢力に抗して誘い込みガイドが収納開口部の左右両側の開口縁の内方へ水平旋回しつつ収納開口部内の後方へスライド退避するように構成したことを特徴とする請求項１，２のいずれか１項に記載のワゴン収納用ガイド装置。
【請求項４】
前記誘い込みガイドは、Ｌ字形に構成し、この誘い込みガイドの一側部に前記ガイド面を設けると共に他側部に前記支承部を設けて、この左右の誘い込みガイドのガイド面を前記収納開口部から前方へ突出させた際に、各誘い込みガイドの前記支承部が前記収納開口部の対向内側に向かって突出するように構成し、この対向内側に向かって突出する各支承部を、収納開口部内へと押入れられる前記ワゴンの左右の後端部が押動し得るように構成したことを特徴とする請求項２，３のいずれか１項に記載のワゴン収納用ガイド装置。
【請求項５】
前記収納開口部内に押入れられた前記ワゴンを前方へ引き出した時に前記誘い込みガイドとワゴンの左右の後端部とを係止する係止手段を備え、この係止手段は、係止状態の誘い込みガイドとワゴンの左右の後端部とをワゴンが収納開口部内から引き出された時に係脱する構成として、この係止手段により収納開口部内のワゴンを前方へ引き出した時にはワゴンと共に誘い込みガイドが前方に移動するが、ワゴンが収納開口部内から引き出されると係止手段が係脱するように構成したことを特徴とする請求項１〜４のいずれか１項に記載のワゴン収納用ガイド装置。
【請求項６】
前記係止手段は、前記誘い込みガイドに前記ワゴンの左右の後端部が係止可能な係合部を設けて、この係合部に左右の後端部を係止したワゴンを前方へ引き出すとワゴンと共に誘い込みガイドが前方に移動し、ワゴンが収納開口部内から前記キャビネット前方へ引き出されると前記係合部からワゴンの左右の後端部が係脱するように構成したことを特徴とする請求項５記載のワゴン収納用ガイド装置。
【請求項７】
前記収納開口部内に押入れられた前記ワゴンを前方へ引き出した時に前記誘い込みガイドとワゴンの左右の後端部とを係止する係止手段を備え、この係止手段は、係止状態の誘い込みガイドとワゴンの左右の後端部とをワゴンが収納開口部内から引き出された時に係脱する構成とし、この係止手段は、前記誘い込みガイドに前記ワゴンの左右の後端部が係止可能な係合部を設けると共に、この係合部は、ワゴンが収納開口部内に押入れられて誘い込みガイドが前記収納開口部の左右両側の開口縁の内方へ水平旋回した時に前記ワゴンの左右の後端部が係止し、この左右の後端部が係合部に係止することにより収納開口部内のワゴンを前方へ引き出した時にはワゴンと共に誘い込みガイドが前方に移動するが、ワゴンが収納開口部内から前記キャビネットの前方へ引き出された時は、誘い込みガイドが収納開口部の左右両側の開口縁の外側に水平旋回してワゴンの左右の後端部が前記係合部から係脱する構成としたことを特徴とする請求項３記載のワゴン収納用ガイド装置。
【請求項８】
前記誘い込みガイドのガイド面に、前記ワゴンの左右の後端部を前記係合部に係止保持する突起を設け、この突起は、前記ガイド面に没動可能に設けると共に、弾性体により突出付勢されるように構成して、ワゴンが収納開口部内に押入れられて誘い込みガイドが前記収納開口部の左右両側の開口縁の内方へ水平旋回した時に、前記ワゴンの左右の後端部が前記係合部に係止しなくとも、後方へ押入れられるワゴンの左右の後端部が突起を前記弾性体の付勢力に抗して没動させて、この没動する突起より前記後端部が収納開口部内の後方へ移動すると、この後端部が前記係合部に係止するように構成したことを特徴とする請求項６，７のいずれか１項に記載のワゴン収納用ガイド装置。
【請求項９】
前記誘い込みガイドは、前記左右のガイド面がその突出先端側ほど左右の対向間隔が徐々に拡大するように設けて、この左右のガイド面を傾斜ガイド面に構成し、前記収納開口部内へと押入れ移動させた前記ワゴンの左右の後端部のいずれかが左右の傾斜ガイド面のいずれかに接触すると、この傾斜ガイド面に沿ってワゴンが収納開口部内へと誘い込み案内されるように構成したことを特徴とする請求項１〜８のいずれか１項に記載のワゴン収納用ガイド装置。
【請求項１０】
前記収納開口部の前後方向に沿った長さを有しこの収納開口部の前記左右内側面に付設可能なスライド用レールを備え、このスライド用レールに、このスライド用レールに沿って前記誘い込みガイドを前後スライド移動可能に設けたことを特徴とする請求項１〜９のいずれか１項に記載のワゴン収納用ガイド装置。
【請求項１１】
前面開口形の収納開口部を備えたキャビネットと、キャスターを備え前記キャビネットの収納開口部に引き出し入れ自在に収納するワゴンとから成るワゴン付収納家具において、前記請求項１〜１０のいずれか１項に記載のワゴン収納用ガイドを具備したことを特徴とするワゴン付収納家具。
【発明の詳細な説明】
【技術分野】
【０００１】
本発明は、ワゴン付収納家具のワゴン収納用ガイド装置並びにこのワゴン収納用ガイド装置を具備したワゴン付収納家具に関するものである。
【背景技術】
【０００２】
例えば、従来からキャスターにより移動可能なワゴンを備えた台所用のキャビネットが実施されている（例えば、特許文献１参照。）。
【０００３】
具体的には、キャビネットの前面の一部にワゴンを収納可能な収納開口部を設け、この収納開口部からワゴンを引き出して使用でき、キャビネットから離れた位置にもワゴンを移動可能としているものである。
【先行技術文献】
【特許文献】
【０００４】
【特許文献１】特開２００５−２８７６９６号公報
【発明の概要】
【発明が解決しようとする課題】
【０００５】
ところで、このようなワゴン付収納家具の多くは、移動時の利便性を考慮してワゴンに水平旋回自在な自在キャスターが設けられている。
【０００６】
しかしながらこの自在キャスターを備えたワゴンは、自在キャスターの方向が定まらないためにユーザーの意図とは異なる方向に移動してしまうことが往々にしてあり、そのため、例えばユーザーがワゴンをキャビネットの収納開口部に収納しようと真っ直ぐに移動させたつもりでも、ワゴンの移動方向が上手く定まらずにワゴンの後部をキャビネットの収納開口部付近の前面化粧板にぶつけて傷を付けてしまうおそれがあった。
【０００７】
本発明は、このような従来のワゴン付収納家具の問題点に鑑み、これを解決しようとするもので、ワゴンをキャビネットの収納開口部に収納しようとする際に、多少位置がずれていてもワゴンが収納開口部へと誘い込み案内されて収納開口部付近に傷を付けることなく収納できるワゴン収納用ガイド装置並びにこのワゴン収納用ガイド装置を具備したワゴン付収納家具を提供するものである。
【課題を解決するための手段】
【０００８】
添付図面を参照して本発明の要旨を説明する。
【０００９】
前面開口形の収納開口部１を備えたキャビネットＣと、キャスター４を備え前記キャビネットＣの収納開口部１に引き出し入れ自在に収納するワゴンＷとから成るワゴン付収納家具に用いるワゴン収納用ガイド装置であって、前記収納開口部１の左右両側の開口縁２に、若しくは収納開口部１の左右両側の開口縁２付近の左右内側面３に、この収納開口部１より前記キャビネットＣの前方に向けて突設される誘い込みガイド５を備え、この突設された左右の誘い込みガイド５は、対向内側面にガイド面６を設けると共に、この左右のガイド面６は、その突出先端側が前記収納開口部１の左右両側の開口縁２の外側に位置するように構成して、収納開口部１内へと押入れ移動させた前記ワゴンＷの左右の後端部７のいずれかが左右のガイド面６のいずれかに接触すると、このガイド面６に沿ってワゴンＷが収納開口部１内へと誘い込み案内されるように構成し、このワゴンＷを前記収納開口部１内に収納することに連動して、前記左右の誘い込みガイド５を収納開口部１内に退避させるガイド退避機構８を備え、このガイド退避機構８は、ワゴンＷが収納開口部１内へと押入れられると、前記左右の誘い込みガイド５が収納開口部１内の後方へスライド退避するように構成したことを特徴とするワゴン収納用ガイド装置に係るものである。
【００１０】
また、前記ガイド退避機構８は、前記ワゴンＷの左右の後端部７を支承する支承部９を前記誘い込みガイド５に設け、この支承部９を、前記収納開口部１内へと押入れられるワゴンＷの左右の後端部７で押動すると、前記左右の誘い込みガイド５が収納開口部１内の後方へスライド退避するように構成したことを特徴とする請求項１記載のワゴン収納用ガイド装置に係るものである。
【００１１】
また、前記誘い込みガイド５は、前記キャビネットＣの収納開口部１の左右両側の開口縁２に、若しくは収納開口部１の左右両側の開口縁２付近の左右内側面３に水平旋回可能に突設される構成とし、この各誘い込みガイド５を収納開口部１の左右両側の開口縁２の外側に水平旋回させることで前記ガイド面６の突出先端側を前記収納開口部１の左右両側の開口縁２の外側に位置させ得るように構成し、この誘い込みガイド５を、そのガイド面６の突出先端側が前記収納開口部１の左右両側の開口縁２の外側に位置するように付勢保持するガイド付勢手段10を備え、前記ガイド退避機構８は、ワゴンＷの左右の後端部７を支承する支承部９を前記誘い込みガイド５に設け、この支承部９を、収納開口部１内へと押入れられるワゴンＷの左右の後端部７で押動すると、前記ガイド付勢手段10の付勢力に抗して誘い込みガイド５が収納開口部１の左右両側の開口縁２の内方へ水平旋回しつつ収納開口部１内の後方へスライド退避するように構成したことを特徴とする請求項１，２のいずれか１項に記載のワゴン収納用ガイド装置に係るものである。
【００１２】
また、前記誘い込みガイド５は、Ｌ字形に構成し、この誘い込みガイド５の一側部に前記ガイド面６を設けると共に他側部に前記支承部９を設けて、この左右の誘い込みガイド５のガイド面６を前記収納開口部１から前方へ突出させた際に、各誘い込みガイド５の前記支承部９が前記収納開口部１の対向内側に向かって突出するように構成し、この対向内側に向かって突出する各支承部９を、収納開口部１内へと押入れられる前記ワゴンＷの左右の後端部７が押動し得るように構成したことを特徴とする請求項２，３のいずれか１項に記載のワゴン収納用ガイド装置に係るものである。
【００１３】
また、前記収納開口部１内に押入れられた前記ワゴンＷを前方へ引き出した時に前記誘い込みガイド５とワゴンＷの左右の後端部７とを係止する係止手段12を備え、この係止手段12は、係止状態の誘い込みガイド５とワゴンＷの左右の後端部７とをワゴンＷが収納開口部１内から引き出された時に係脱する構成として、この係止手段12により収納開口部１内のワゴンＷを前方へ引き出した時にはワゴンＷと共に誘い込みガイド５が前方に移動するが、ワゴンＷが収納開口部１内から引き出されると係止手段12が係脱するように構成したことを特徴とする請求項１〜４のいずれか１項に記載のワゴン収納用ガイド装置に係るものである。
【００１４】
また、前記係止手段12は、前記誘い込みガイド５に前記ワゴンＷの左右の後端部７が係止可能な係合部27を設けて、この係合部27に左右の後端部７を係止したワゴンＷを前方へ引き出すとワゴンＷと共に誘い込みガイド５が前方に移動し、ワゴンＷが収納開口部１内から前記キャビネットＣ前方へ引き出されると前記係合部27からワゴンＷの左右の後端部７が係脱するように構成したことを特徴とする請求項５記載のワゴン収納用ガイド装置に係るものである。
【００１５】
また、前記収納開口部１内に押入れられた前記ワゴンＷを前方へ引き出した時に前記誘い込みガイド５とワゴンＷの左右の後端部７とを係止する係止手段12を備え、この係止手段12は、係止状態の誘い込みガイド５とワゴンＷの左右の後端部７とをワゴンＷが収納開口部１内から引き出された時に係脱する構成とし、この係止手段12は、前記誘い込みガイド５に前記ワゴンＷの左右の後端部７が係止可能な係合部27を設けると共に、この係合部27は、ワゴンＷが収納開口部１内に押入れられて誘い込みガイド５が前記収納開口部１の左右両側の開口縁２の内方へ水平旋回した時に前記ワゴンＷの左右の後端部７が係止し、この左右の後端部７が係合部27に係止することにより収納開口部１内のワゴンＷを前方へ引き出した時にはワゴンＷと共に誘い込みガイド５が前方に移動するが、ワゴンＷが収納開口部１内から前記キャビネットＣの前方へ引き出された時は、誘い込みガイド５が収納開口部１の左右両側の開口縁２の外側に水平旋回してワゴンＷの左右の後端部７が前記係合部27から係脱する構成としたことを特徴とする請求項３記載のワゴン収納用ガイド装置に係るものである。
【００１６】
また、前記誘い込みガイド５のガイド面６に、前記ワゴンＷの左右の後端部７を前記係合部27に係止保持する突起26を設け、この突起26は、前記ガイド面６に没動可能に設けると共に、弾性体29により突出付勢されるように構成して、ワゴンＷが収納開口部１内に押入れられて誘い込みガイド５が前記収納開口部１の左右両側の開口縁２の内方へ水平旋回した時に、前記ワゴンＷの左右の後端部７が前記係合部27に係止しなくとも、後方へ押入れられるワゴンＷの左右の後端部７が突起26を前記弾性体29の付勢力に抗して没動させて、この没動する突起26より前記後端部７が収納開口部１内の後方へ移動すると、この後端部７が前記係合部27に係止するように構成したことを特徴とする請求項６，７のいずれか１項に記載のワゴン収納用ガイド装置に係るものである。
【００１７】
また、前記誘い込みガイド５は、前記左右のガイド面６がその突出先端側ほど左右の対向間隔が徐々に拡大するように設けて、この左右のガイド面６を傾斜ガイド面６に構成し、前記収納開口部１内へと押入れ移動させた前記ワゴンＷの左右の後端部７のいずれかが左右の傾斜ガイド面６のいずれかに接触すると、この傾斜ガイド面６に沿ってワゴンＷが収納開口部１内へと誘い込み案内されるように構成したことを特徴とする請求項１〜８のいずれか１項に記載のワゴン収納用ガイド装置に係るものである。
【００１８】
また、前記収納開口部１の前後方向に沿った長さを有しこの収納開口部１の前記左右内側面３に付設可能なスライド用レール11を備え、このスライド用レール11に、このスライド用レール11に沿って前記誘い込みガイド５を前後スライド移動可能に設けたことを特徴とする請求項１〜９のいずれか１項に記載のワゴン収納用ガイド装置に係るものである。
【００１９】
また、前面開口形の収納開口部１を備えたキャビネットＣと、キャスター４を備え前記キャビネットＣの収納開口部１に引き出し入れ自在に収納するワゴンＷとから成るワゴン付収納家具において、前記請求項１〜１０のいずれか１項に記載のワゴン収納用ガイドを具備したことを特徴とするワゴン付収納家具に係るものである。
【発明の効果】
【００２０】
本発明は上述のように構成したから、収納開口部の左右両側からキャビネット前方に向けて誘い込みガイドを突設すると共に、この左右の誘い込みガイドの対向内側面のガイド面の突出先端側を収納開口部の左右両側の開口縁の外側に位置しているため、ワゴンの押し入れ方向が多少ずれても、ワゴンの左右の後端部のいずれかが左右のガイド面のいずれかに接触することでワゴンが収納開口部内へと誘い込み案内されることとなり、従ってたとえ自在キャスターを備えたワゴンであっても、ワゴンの左右の後端部をキャビネットの収納開口部付近にぶつけて傷付けてしまうようなことはなく、確実に且つ容易に収納開口部内へと収納でき、その上本発明では、ワゴンが収納開口部内に押入れられると、これに連動して左右の誘い込みガイドが収納開口部内の後方ヘスライド退避するガイド退避機構を備えたから、ワゴンを収納開口部内に収納した状態では、左右の誘い込みガイドが収納開口部の前方に突設して邪魔となることがないなど、極めて実用性に優れた画期的なワゴン収納用ガイド装置並びにワゴン付収納家具となる。
【００２１】
また、請求項２，３，４記載の発明においては、ワゴンがキャビネットの収納開口部内に押入れられることに連動して、確実に左右の誘い込みガイドが収納開口部内の後方へスライド退避するガイド退避機構を簡易構成にして容易に設計実現可能となる一層実用性に優れたワゴン収納用ガイド装置となる。
【００２２】
また、特に請求項３記載の発明においては、左右の誘い込みガイドを収納開口部の左右両側の開口縁の外側に位置するように付勢保持したため、この付勢保持される誘い込みガイドのガイド面によりワゴンを収納開口部内へと一層良好に誘い込み案内することができる一層実用的な構成のワゴン収納用ガイド装置となる。
【００２３】
また、特に請求項４記載の発明においては、ワゴンをキャビネットの収納開口部内へと誘い込み案内するガイド面と、収納開口部内へ押入れられるワゴンの左右の後端部が押動する支承部とを有する左右の誘い込みガイドを容易に設計実現可能となる一層実用的な構成のワゴン収納用ガイド装置となる。
【００２４】
また、請求項５記載の発明においては、ワゴンをキャビネットの収納開口部内に押入れると、誘い込みガイドがワゴンの左右の後端部に係止してワゴンと共に誘い込みガイドが収納開口部内の後方へスライド退避し、逆にワゴンをキャビネット前方へ引き出すと、係止手段により誘い込みガイドとワゴンの左右の後端部とが係止して誘い込みガイドがワゴンと共に前方に移動し、ワゴンが収納開口部から引き出されると誘い込みガイドがワゴンの左右の後端部から係脱してワゴンが自由に移動可能となる一層実用性に優れたワゴン収納用ガイド装置となる。
【００２５】
また、請求項６記載の発明においては、前記作用・効果を確実に発揮する係止手段を容易に設計実現可能となる一層実用性に優れたワゴン収納用ガイド装置となる。
【００２６】
また、請求項７記載の発明においては、ワゴンをキャビネットの収納開口部内に押入れると、誘い込みガイドがワゴンの左右の後端部に係止してワゴンと共に誘い込みガイドが収納開口部内の後方へスライド退避し、逆にワゴンをキャビネット前方へ引き出すと、係止手段により誘い込みガイドとワゴンの左右の後端部とが係止して誘い込みガイドがワゴンと共に前方に移動し、ワゴンが収納開口部から引き出されると誘い込みガイドがワゴンの左右の後端部から係脱してワゴンが自由に移動可能となり、しかも、誘い込みガイドが収納開口部の左右両側の開口縁の内方へ水平旋回した時にワゴンの左右の後端部が係止し、誘い込みガイドが収納開口部の左右両側の開口縁の外側に水平旋回した時にワゴンの左右の後端部が係脱して前記作用・効果を確実に発揮する係止手段を容易に設計実現可能となるなど、一層実用性に優れたワゴン収納用ガイド装置となる。
【００２７】
また、請求項８記載の発明においては、たとえ、ワゴンが収納開口部内に押入れられて誘い込みガイドが収納開口部の左右両側の開口縁の内方へ水平旋回した時に、ワゴンの左右の後端部が係合部に係止しなくとも、後方へ押入れられるワゴンの左右の後端部が突起を弾性体の付勢力に抗して没動させて、この没動する突起より前記後端部が収納開口部内の後方へ移動して係合部に係止することになる一層実用性に優れたワゴン収納用ガイド装置となる。
【００２８】
また、請求項９記載の発明においては、左右の傾斜ガイド面によりワゴンが収納開口部内へとスムーズに誘い込み案内されることになる一層実用性に優れたワゴン収納用ガイド装置となる。
【００２９】
また、請求項１０記載の発明においては、ワゴンをキャビネットの収納開口部内に収納することに連動して誘い込みガイドが後方ヘスライド移動する構成、及び収納開口部内のワゴンをキャビネットの前方へ引き出した時にワゴンと共に誘い込みガイドが前方に移動するように構成した場合には、ワゴンをキャビネットの収納開口部内から引き出すことに連動して誘い込みガイドが前方へスライド移動する構成を容易に設計実現可能となる一層実用性に優れたワゴン収納用ガイド装置となる。
【図面の簡単な説明】
【００３０】
【図１】本実施例の、ワゴンを少し引き出した状態を示す概略説明斜視図である。
【図２】本実施例の、ワゴンをキャビネットから完全に引き出した状態を示す概略説明斜視図である。
【図３】本実施例の、ワゴンをキャビネットから完全に引き出した状態を示す説明平面図である。
【図４】本実施例の、ワゴンをキャビネットの収納開口部から引き出した状態を示す一部を切欠いた要部の説明拡大平断面図である。
【図５】図４の状態から、ワゴンを収納開口部内に押入れようとする状態を示す一部を切欠いた要部の説明拡大平断面図である。
【図６】図５の状態から、ワゴンを収納開口部の更に奥へと押入れた状態を示す一部を切欠いた要部の説明拡大平断面図である。
【図７】図６の状態から、ワゴンを収納開口部の更に奥へと押入れた状態を示す要部の説明拡大平断面図である。
【図８】本実施例の、収納開口部内に収納したワゴンを少し引き出した状態を示す要部の説明拡大平断面図である。
【図９】本実施例の、ワゴンの収納状態における要部の説明拡大正断面図である。
【図１０】本実施例の、誘い込みガイドが先に収納開口部内に退避移動してしまった場合の作動を示す説明拡大平断面図である。
【図１１】本実施例の、ワゴンの一部が収納開口部内にある状態でのロック機構を示す説明部分拡大斜視図である。
【図１２】本実施例の、ワゴンを収納開口部から最大限引き出した状態でのロック機構を示す説明部分拡大斜視図である。
【図１３】本実施例の、ロック機構を解除して誘い込みガイドを収納開口部前方へ突出させた状態を示す説明部分拡大斜視図である。
【発明を実施するための形態】
【００３１】
好適と考える本発明の実施形態を、図面に基づいて本発明の作用を示して簡単に説明する。
【００３２】
キャビネットＣの収納開口部１の左右両側の開口縁２に、若しくは収納開口部１の左右両側の開口縁２付近の左右内側面３に、この収納開口部１より前記キャビネットＣの前方に向けて誘い込みガイド５を突設する。
【００３３】
キャビネットＣの収納開口部１内に収納されているワゴンＷは、必要に応じて収納開口部１からキャビネットＣ前方へ引き出して使用できる。また、引き出したワゴンＷは、キャスター４により自由に移動させて所望の位置で使用可能である。
【００３４】
また、引き出したワゴンＷは、このワゴンＷを後部から収納開口部１に向けて押し入れることで再び収納開口部１内に収納できるが、この際、ワゴンＷの押し入れ方向が上手く定まらずに左右方向に多少位置ずれしてしまっても、キャビネットＣの収納開口部１の左右両側の開口縁２、若しくは収納開口部１の左右両側の開口縁２付近の左右内側面３からキャビネットＣ前方に向けて誘い込みガイド５が突設していて、この左右の誘い込みガイド５の対向内側面のガイド面６の突出先端側が前記収納開口部１の左右両側の開口縁２の外側に位置しているので、収納開口部１内へと押入れ移動させた前記ワゴンＷの左右の後端部７のいずれかが左右のガイド面６のいずれかに接触すると、このガイド面６に沿ってワゴンＷが収納開口部１内へと誘い込み案内されることとなる。
【００３５】
従って、たとえワゴンＷのキャスター４が水平旋回自在で移動方向を定めにくい自在キャスター４であったとしても、ワゴンＷの左右の後端部７のいずれかをキャビネットＣの収納開口部１付近の前面化粧板にぶつけて傷を付けてしまうようなことはなく、左右の誘い込みガイド５により容易に且つ確実にワゴンＷを収納開口部１内へ収納できる。
【００３６】
また、ワゴンＷがキャビネットＣの収納開口部１内へ押入れられると、これに連動してガイド退避機構８により左右の誘い込みガイド５が収納開口部１内の後方ヘスライド退避することになる。
【００３７】
従って、ワゴンＷを収納開口部１内に収納した状態では、左右の誘い込みガイド５が収納開口部１の前方に突設して邪魔となることがない。
【実施例】
【００３８】
本発明の具体的な実施例について図面に基づいて説明する。
【００３９】
本実施例は、前面開口形の収納開口部１を備えたキャビネットＣと、水平旋回自在な自在キャスター４を備え前記キャビネットＣの収納開口部１に引き出し入れ自在に収納するワゴンＷとから成る台所用のワゴン付収納家具に適用したものである。
【００４０】
また、本実施例のキャビネットＣは、図１，図２に示すように、下部に前面が開口する箱形（直方体形）の前記収納開口部１を備えると共に、この収納開口部１の底面は部屋の床面と面一状態に設けられていて、この収納開口部１からワゴンＷを容易に引き出し入れ可能としている。
【００４１】
また、本実施例のワゴンＷは、略直方体形のフレーム構造体に構成し、このワゴンＷの前部には、キャビネットＣの前面部に同調する前面化粧板17を設け、左右側部には前後の縦フレーム19間に側壁板18を架設状態に設け、下部四か所に前記自在キャスター４を設けている。尚、図面では、ワゴンＷにダストボックス20を複数（図面では三個）収納した場合を示している。
【００４２】
本実施例は、前記キャビネットＣの収納開口部１の左右両側の開口縁２に、若しくは収納開口部１の左右両側の開口縁２付近の左右内側面３に、ワゴン収納用ガイド装置を設けている。
【００４３】
本実施例のワゴン収納用ガイド装置は、前記キャビネットＣの収納開口部１の前後方向に沿った長さを有しこの収納開口部１の前記左右内側面３に付設可能なスライド用レール11を備え、このスライド用レール11に、このスライド用レール11に沿って前記誘い込みガイド５を前後スライド移動可能に設け、前記左右内側面３に付設したこのスライド用レール11の前端部に誘い込みガイド５を位置させた際に、収納開口部１の左右両側の開口縁２よりキャビネットＣ前方へ向けて誘い込みガイド５を突設し得るように構成している。
【００４４】
具体的には、本実施例のスライド用レール11は、キャビネットＣの左右内側面３の前後長さと同等の長さ寸法を有する正断面コ字形を呈する長尺材で構成し、このスライド用レール11の中間部11Ａの外側面を左右内側面３に付設して上下の突出部11Ｂを収納開口部１の内方へ突出状態に設けている。
【００４５】
また、このスライド用レール11の上下の突出部11Ｂには、この各突出部11Ｂ（スライド用レール11）の長さ方向に沿って且つ各突出部11Ｂの長さ方向の略全域にガイド溝15を刻設している。即ち、このスライド用レール11に沿って誘い込みガイド５を収納開口部１の前後方向の略全域にスライド移動可能に設けている。
【００４６】
本実施例の誘い込みガイド５は、図４〜図８に示すように、平面視Ｌ字形を呈する部材で構成し、この誘い込みガイド５の角部の上下には、前記ガイド溝15に嵌合可能なスライドピン16を突設している。
【００４７】
このスライド用レール11と誘い込みガイド５との取付構造は、誘い込みガイド５の角部上下の前記スライドピン16をスライド用レール11の上下の突出部11Ｂのガイド溝15に夫々嵌挿することで取付した構造とし（図９参照）、このガイド溝15に沿って誘い込みガイド５がスライド用レール11の長さ方向（収納開口部１の前後方向）にスライド移動可能であって、且つガイド溝15（スライド用レール11）に対しスライドピン16を支点にして誘い込みガイド５を水平方向に旋回可能に設けている。
【００４８】
また、誘い込みガイド５をスライド用レール11に取付した際に、この誘い込みガイド５の角部を境にした一側端部の外側面がスライド用レール11の中間部11Ａの内側面と小間隙を置いた略平行状態となるように構成し、これにより誘い込みガイド５はスライド用レール11の端部以外の位置では水平旋回不能であって、その一側端部がスライド用レール11と略平行状態を維持したまま前後方向にスライド移動するように構成している。
【００４９】
また、この左右の誘い込みガイド５は、スライド用レール11の前端部に位置させた際に夫々の一側端部が収納開口部１から前方へ突出する形状に形成すると共に、この際左右の誘い込みガイド５の夫々の他側端部が収納開口部１の対向内側に向かって突出するようにしてスライド用レール11に取付した構造としている。
【００５０】
また、この左右の誘い込みガイド５の角部を境にした一側端部の対向内側面を平坦面形状に形成して、この夫々の平坦面をガイド面６としている。
【００５１】
また、左右の誘い込みガイド５は、スライド用レール11の前端部に位置させると、一側端部の外側面の広範囲がスライド用レール11の前方へ露出するために水平旋回可能となるが、この際に一側端部を外側に開くように旋回させると、ガイド面６の反対側の外側面がスライド用レール11の前記中間部11Ａの前側端部に当接することで旋回阻止状態となるように構成すると共に、この中間部11Ａの前側端部は前端側ほど外向きに傾斜する傾斜面23に形成している。
【００５２】
即ち、スライド用レール11の前記中間部11Ａの前側端部の傾斜面が誘い込みガイド５の旋回ストッパー23として機能するように構成し、この際、左右のガイド面６がその突出先端側ほど左右の対向間隔が徐々に拡大する傾斜ガイド面６となる状態で旋回阻止されるように旋回ストッパー23の傾斜面形状を設定構成して、左右のガイド面６の突出先端側が前記収納開口部１の左右両側の開口縁２の外側に位置するようにしている（左右の誘い込みガイド５がいずれも外向きに開いて収納開口部１前方へ傾斜したガイド面６が表出するように構成している。）。
【００５３】
また、この際本実施例では、ガイド面６の突出先端部が、収納開口部１の左右の開口縁２より10〜15mm程度開口縁２の外側に位置すると共に、収納開口部１の左右の開口縁２より30〜35mm程度キャビネットＣの前方に位置するように構成している。出願人の試作実験によれば、ガイド面６の左右の開口縁２からの突出長を上記のように設定することでワゴンＷの良好な誘い込み作用が発揮されると共に、収納開口部１の枠外へ誘い込みガイド５が突出せずに他の家具などの邪魔にならないことが確認されている。
【００５４】
従って、収納開口部１内へと押入れ移動させた前記ワゴンＷの左右の後端部７のいずれかが左右の傾斜ガイド面６のいずれかに接触すると、この平坦な傾斜ガイド面６に沿ってワゴンＷが収納開口部１内へとスムーズに誘い込み案内されるように構成している。
【００５５】
本実施例では、前記誘い込みガイド５を、そのガイド面６の突出先端側が前記収納開口部１の左右両側の開口縁２の外側に位置するように付勢保持すると共に、この誘い込みガイド５をスライド用レール11の前端部に位置決めして誘い込みガイド５の一側端部を収納開口部１よりキャビネットＣ前方へ突設状態に付勢保持するガイド付勢手段10を備えている。
【００５６】
具体的には、ガイド付勢手段10は、図４〜図６に示すように、誘い込みガイド５の角部付近に弾性体21（コイルバネ21）と摩擦ピン22とを内装して、この弾性体21により摩擦ピン22が誘い込みガイド５の外側面から外方へ常に突出付勢されるように構成し、この突出付勢される摩擦ピン22の突出先端部が前記スライド用レール11の中間部11Ａの内側面に圧接摩擦当接することで誘い込みガイド５のスライド移動に抵抗を付与し、この移動抵抗（摩擦抵抗）により誘い込みガイド５をスライド用レール11の前端部に位置決めして誘い込みガイド５の一側端部を収納開口部１よりキャビネットＣ前方へ突設状態に付勢保持できる構成としている。
【００５７】
また、摩擦ピン22は、前記誘い込みガイド５のスライドピン16よりやや後側に位置するように設ける一方、前記左右のスライド用レール11の前記ガイド溝15の前端側を、平面視で夫々対向内側方向に傾斜するように形成し、これによりこの前端側の傾斜ガイド溝15Ａの前端部に誘い込みガイド５の前記スライドピン16が位置すると、誘い込みガイド５の外側面とスライド用レール11の中間部11Ａの内側面との隙間が広くなることで誘い込みガイド５がスライドピン16を支点に水平旋回可能となり、この際、摩擦ピン22の突出付勢力によってスライドピン16を支点に誘い込みガイド５が前記旋回ストッパー23に当接するまで自動的に旋回し、誘い込みガイド５が外向きに開くように付勢保持されてワゴンＷを収納するための待機状態をこのガイド付勢手段10で保持できる構成としている。
【００５８】
また、本実施例のワゴン収納用ガイド装置は、ワゴンＷを前記収納開口部１に収納することに連動して、前記左右の誘い込みガイド５を収納開口部１内に退避させるガイド退避機構８を備えている。
【００５９】
本実施例のガイド退避機構８は、ワゴンＷが収納開口部１内へ押し入れられると、前記左右の誘い込みガイド５が収納開口部１内の後方へスライド退避するように構成している。
【００６０】
具体的には、ワゴンＷの左右の後端部７を支承する支承部９を前記誘い込みガイド５に設け、この支承部９にワゴンＷの左右の後端部７を支承した状態でワゴンＷが更に収納開口部１内へと押入れられると、支承部９が収納開口部１内の後方へ押動されて左右の誘い込みガイド５が収納開口部１内に退避するように構成している。
【００６１】
更に具体的には、図４〜図８に示すように、左右の誘い込みガイド５の、収納開口部１の対向内側に向かって突出する他側端部の前記ガイド面６と連設する側の面を前記支承部９としている。
【００６２】
また、この支承部９は、ワゴンＷの左右の後端部７（後述する嵌着部25）の外形状に合わせて凹湾曲面状に形成している。
【００６３】
従って、ワゴンＷを収納開口部１内に押入れると、ワゴンＷの左右の後端部７が支承部９に支承されることとなる構成とし（ワゴンＷの左右の後端部７がガイド面６に沿って収納開口部１内へと誘い込み案内された場合も、やがてこの後端部７が支承部９に支承されることとなる構成とし）、この支承部９に後端部７を支承した状態でワゴンＷが更に収納開口部１内へと押入れられると（支承部９を、収納開口部１内へと押入れられるワゴンＷの左右の後端部７で押動すると）支承部９も収納開口部１内の後方へと押動されることになり、これにより誘い込みガイド５が前記ガイド付勢手段10の付勢力に抗してスライド用レール11に沿って収納開口部１内の後方へと押動されて前記スライド用レール11に沿って収納開口部１内の後方にスライド退避すると共に、この際、支承部９が後方へ押されることで誘い込みガイド５が収納開口部１の左右両側の開口縁２の内方へ水平旋回し、誘い込みガイド５の外側面がスライド用レール11の中間部11Ａの内側面に当接することで内方への旋回が阻止されて最終的にガイド面６がスライド用レール11と略平行となった状態で収納開口部１内の後方に退避する構成としている（図５〜図８参照）。
【００６４】
また、本実施例のワゴン収納用ガイド装置は、前記スライド用レール11に沿ってスライド移動可能であって前記ワゴンＷの左右部に付設可能なスライド体13を備え、このスライド体13は、ワゴンＷの前後方向に沿った長さを有する形状に形成すると共に、このスライド体13の長さ寸法を前記ワゴンＷの前後幅寸法の１／２以上（好ましくは２／３程度）の長さ寸法に設定している。
【００６５】
具体的には、ワゴンＷの左右部の前後の縦フレーム19間に架設可能な補強桟24を備え、この補強桟24に前記スライド体13を設けている。
【００６６】
また、このスライド体13は、前記スライド用レール11の上下の突出部11Ｂ間にスライド可能に配設する帯板状にして補強桟24の両端側を除いた側面部に一体的に突設している。
【００６７】
また、この補強桟24の、ワゴンＷの左右部の前後の縦フレーム19への付設構造は、補強桟24の両端部に縦フレーム19に被嵌可能な平面視Ｃ状の嵌着部25を設け、この両端部の嵌着部24を前後の縦フレーム19に嵌着することによって前後の縦フレーム19間に架設した構造としている。
【００６８】
また、この嵌着部25と前記スライド体13とは、嵌着部25の開口方向とスライド体13の突出方向とが互いに逆向きとなるようにして補強桟24に設け、嵌着部24をワゴンＷの左右外側から縦フレーム19に嵌着すると、スライド体13がワゴンＷの左右部から外側水平方向へ突設する構成としている。
【００６９】
また、補強桟24は、例えば樹脂製として、スライド体13と嵌着部25とを一体成形している。
【００７０】
従って、自在キャスター４を備えた本実施例のワゴンＷは、移動方向を定めづらいが、ワゴンＷを収納開口部１に対し引き出し入れする際に、ワゴンＷの左右部の長さのあるスライド体13が収納開口部１の左右内側面３のスライド用レール11に沿ってスライド移動することで、この収納開口部11内でワゴンＷが左右にブレずに安定的に移動できる構成としている。
【００７１】
また、本実施例では、前記ワゴンＷが前記収納開口部１内に押入れられる時に前記誘い込みガイド５とワゴンＷの左右の後端部７とを係止し、且つこの係止状態の誘い込みガイド５とワゴンＷの左右の後端部７とをワゴンＷが収納開口部１内から引き出された時に係脱する係止手段12を誘い込みガイド５とワゴンＷの左右の後端部７とに設けている。
【００７２】
従って、この係止手段12によりワゴンＷが収納開口部１内に押入れられる時には、ワゴンＷと共に誘い込みガイド５が収納開口部１内の後方にスライド退避する前記ガイド退避機構８を構成している。
【００７３】
本実施例の係止手段12は、図４〜図８に示すように、誘い込みガイド５の前記ガイド面６に、このガイド面６の先端部から基端部（角部）にかけての中ほどに突起26（抜け止め用突起26）を設けると共に、この抜け止め突起26は、ガイド面６より左右の誘い込みガイド５の対向内側に向けて突出状態に設けている。
【００７４】
また、この抜け止め用突起26は、ガイド面６の先端側に位置する表面部位を、ガイド面６から緩やかな傾斜角度で立ち上がる緩傾斜面形状に形成してこの部位を乗り上がり面26Ａとすると共に、ガイド面６の基端側に位置する表面部位を、ガイド面６Ａから直角に近い急角度で立ち上がる急傾斜面形状に形成してこの部位をストッパ面26Ｂとし、この乗り上がり面26Ａとストッパ面26ＢとをＲ面取りした連設角部を介して連設した構成としている。
【００７５】
また、この抜け止め用突起26の前記ストッパ面26Ｂと、このストッパ面26Ｂより基端側（角部側）に位置するガイド面６とこの基端側ガイド面に角部を介して連設する前記支承部９の基端側面（角部側面）とで、係合部27（係合凹部27）を構成している。
【００７６】
一方、ワゴンＷには、後部左右の縦フレーム９に被嵌着する前記嵌着部25の外側面に前記スライド体13と同じ方向に向けて前記係合凹部27に係止可能な係止凸部28を一体的に突設し、この嵌着部25並びに係止凸部28をワゴンＷの前記後端部７としている。
【００７７】
従って、ワゴンＷの左右の後端部７の係止凸部28が係合凹部27に嵌合配置することでワゴンＷの左右の後端部７に誘い込みガイド５が係止することとなり、これによりワゴンＷの引き出し入れ移動に連動して誘い込みガイド５も収納開口部１内を前後方向に移動する構成としている。
【００７８】
また、誘い込みガイド５のスライドピン16がスライド用レール11の前記傾斜ガイド溝15Ａの前端部に位置して誘い込みガイド５が最大限外方へ開いた状態では、係止凸部28が係合凹部27に係止できないように、誘い込みガイド５の開き角度並びに抜け止め突起26の突出度並びに係止凸部28の突出度を設定構成し、ワゴンＷの後端部７（嵌着部25）を前記支承部９に支承した状態でワゴンＷを収納開口部１内へと更に押入れると、支承部９が後方に押されることでガイド面６がスライド用レール11と略平行となるまで内方へ水平旋回して係止凸部28と係合凹部27とが係止するように構成し、これによりワゴンＷと一緒に誘い込みガイド５が収納開口部１内に退避すると共に、誘い込みガイド５が収納開口部１内に退避した状態では、ワゴンＷを前方へ引動しても係止凸部28が抜け止め突起26の前記ストッパ面26Ｂに当たって抜け止め保持されてワゴンＷと共に誘い込みガイド５が前方に移動することになる構成としている（図４〜図８参照）。
【００７９】
また、収納状態のワゴンＷを収納開口部１からキャビネットＣの前方へ引き出せば、誘い込みガイド５がスライド用レール11の前端部に達したところで、収納開口部１の開口縁から突出して外方へ自動的に開き、誘い込みガイド５が最大限開くと、係止凸部28が係合凹部27から係脱してワゴンＷを更に前方へと引き出す（ワゴンＷをキャビネットＣから分離する）ことができるように構成している。
【００８０】
更に、本実施例の抜け止め突起26は、誘い込みガイド５の外側面の方向へ没動可能（ガイド面６に対し没入可能）に設けると共に、弾性体29により常に突出付勢されるように構成している。
【００８１】
具体的には、誘い込みガイド５に、そのガイド面６側が開口する凹所30を設け、この凹所30に抜け止め突起26を収納すると共に、この抜け止め突起26は、その先端側（前記乗り上がり面26Ａの先端側）を支軸31により凹所30（誘い込みガイド５）に枢着して、この抜け止め突起26の基端側がガイド面６に対して起伏するように回動可能に設けている。
【００８２】
また、この抜け止め突起26を伏動回動させて凹所30に最大限収納すると、抜け止め突起26の前記乗り上がり面26Ａがガイド面６と略面一状態となるように、抜け止め突起26の形状並びに凹所30の形状を設定構成している。
【００８３】
また、この抜け止め突起26には、前記弾性体29としてのトーションバネ29を内装し、このトーションバネ29の一端を抜け止め突起26に当接すると共に、他端を前記凹所30の底部に当接するように配置して、トーションバネ29の付勢力により抜け止め突起26が常時ガイド面６より突出付勢されるように構成している。
【００８４】
また、抜け止め突起26と凹所30には、互いに当接し合うことで、突出付勢される抜け止め突起26の突出方向への過回動を阻止する回動限ストッパー34を設けている。
【００８５】
この抜け止め突起26の没動構造は、ワゴンＷを収納開口部１内に収納する際に、上手く係止凸部28が係合凹部27に係止することができず（ワゴンＷの後端部７と誘い込みガイド５とが係止せず）に、先に誘い込みガイド５が収納開口部１内の後方へ退避移動してしまった場合でも、最終的には係止凸部28が係合凹部27に係止するようにしたものである。即ち、収納開口部１内に退避してスライド用レール11と略平行となったガイド面６に沿って後端部７（係止凸部28）が後方へ移動すると抜け止め突起26にぶつかるが、この抜け止め突起26はガイド面６と隣接する先端側が緩やかな乗り上がり面26Ａであるためにこの乗り上がり面26Ａに乗り上がり易い上、この際に抜け止め突起26が前記弾性体29の付勢力に抗して没動することで抵抗となりにくいので、係止凸部28が係合凹部27に係止することになる構成としている（図１０参照）。
【００８６】
また、本実施例では、前記ワゴンＷを前記収納開口部１から引き出した際に、このワゴンＷを収納開口部１に対し離脱不能状態にロックするロック・解除可能なロック機構14を前記スライド用レール11と前記誘い込みガイド５とに設けている。
【００８７】
具体的には、本実施例のロック機構14は、図１１〜図１３に示すように、スライド用レール11の上側の突出部11Ｂの前端部上面に、ストッパースイッチ32を起伏回動自在に設けている。
【００８８】
また、このストッパースイッチ32は、スライド用レール11の後部側が鋭角状に先細る形状に形成してこの鋭角状先端部の前記収納開口部１の内方に位置する側の側面を阻止傾斜面32Ａとすると共に、この鋭角状先端部が上側の突出部11Ｂの上面に伏した状態から、上方へ起立した状態に至るまでの略９０度範囲で起伏回動自在に設けている。
【００８９】
一方、前記誘い込みガイド５の他側端部を、前記スライド用レール11の上側の突出部11Ｂより上方へ突出する形状に形成すると共に、この他側端部の上部に、スライド用レール11の上側の突出部11Ｂの前端部上面に伏した前記ストッパースイッチ32の阻止傾斜面32Ａに対応する傾斜角度の傾斜当接部33を一体的に突設し、この傾斜当接部33が伏状態のストッパースイッチ32の阻止傾斜面32Ａに当接することで、誘い込みガイド５の前方へのスライド移動が阻止されると共に、誘い込みガイド５が外方へ開くことが阻止される構成としている（図１２参照）。
【００９０】
このストッパースイッチ32を上方へ起動回動して起立させると、阻止傾斜面32Ａに傾斜当接部33が当接できない状態となり、これにより誘い込みガイド５が外方へ開きつつ前方へ移動すると、傾斜当接部33がストッパースイッチ32を避けて収納開口部１前方へ誘い込みガイド５の一側端部が突出することになる構成としている（図１３参照）。
【００９１】
従って、ストッパースイッチ32を伏状態としておくことで、ワゴンＷを収納開口部１（キャビネットＣ）から分離できないロック状態とでき（ロック機構14でワゴンＷを収納開口部１に対し離脱不能状態にロックすることができ）、これによりワゴンＷを引き出し感覚で使用することも可能となり、このロック状態からストッパースイッチ32を起立状態に切り替えることで、ワゴンＷをロック解除してキャビネットＣから分離できる構成としている。
【００９２】
尚、本発明は、本実施例に限られるものではなく、各構成要件の具体的構成は適宜設計し得るものである。
【００９３】
また、本実施例では、前面開口形の収納開口部１を備えたキャビネットＣと、キャスター４を備え前記キャビネットＣの収納開口部１に引き出し入れ自在に収納するワゴンＷとから成るワゴン付収納家具に用いるワゴン収納用ガイド装置とした場合を示したが、前記キャビネットＣの収納開口部１の左右両側の開口縁２に、若しくは収納開口部１の左右両側の開口縁２付近の左右内側面３に、この収納開口部１よりキャビネットＣ前方へ向けて誘い込みガイド５を突設し、この左右の誘い込みガイド５の対向内側面にガイド面６を設けると共に、この左右のガイド面６は、その突出先端側が前記収納開口部１の左右両側の開口縁２の外側に位置するように構成して、収納開口部１内へと押入れ移動させた前記ワゴンＷの左右の後端部７のいずれかが左右のガイド面６のいずれかに接触すると、このガイド面６に沿ってワゴンＷが収納開口部１内へと誘い込み案内されるように構成し、このワゴンＷを前記収納開口部１内に収納することに連動して、前記左右の誘い込みガイド５を収納開口部１内に退避させるガイド退避機構８を備えたワゴン付収納家具を構成しても良い。
【符号の説明】
【００９４】
１  収納開口部
２  開口縁
３  内側面
４  キャスター
５  誘い込みガイド
６  ガイド面
７  後端部
８  ガイド退避機構
９  支承部
10  ガイド付勢手段
11  スライド用レール
12  係止手段
26  突起
27  係合部
29  弾性体
Ｃ  キャビネット
Ｗ  ワゴン
【図１】
0005608510.tif 000002
【図２】
0005608510.tif 000003
【図３】
0005608510.tif 000004
【図４】
0005608510.tif 000005
【図５】
0005608510.tif 000006
【図６】
0005608510.tif 000007
【図７】
0005608510.tif 000008
【図８】
0005608510.tif 000009
【図９】
0005608510.tif 000010
【図１０】
0005608510.tif 000011
【図１１】
0005608510.tif 000012
【図１２】
0005608510.tif 000013
【図１３】
0005608510.tif 000014